(57)【要約】【課題】  床パンの周縁フランジ部で荷重支持されて戸枠の下方へのずれ動きが確実に防止され、同周縁フランジ部の構造はそのままでこれに係止させる構造として施工性にも優れたユニットルーム戸枠支持構造を提供する。【解決手段】  ユニットルームの床パン１の周縁部分に立設される戸枠２の支持構造において、床パン１の周縁フランジ部３にフック部材４を係止し、戸枠２を支持固定する固定具５を同フック部材４に結合支持させてなる構成とした。【選択図】図１
2005127101.tif 000002
【特許請求の範囲】
【請求項１】
ユニットルームの床パンの周縁部分に立設される戸枠の支持構造であって、床パンの周縁フランジ部にフック部材を係止し、戸枠を支持固定する固定具を同フック部材に結合支持させてなるユニットルーム戸枠支持構造。
【請求項２】
床パンの周縁フランジ部に上方へ折曲突出した縦片を一体に形成し、この縦片の上端部分にフック部材の略Ｌ字状に屈曲したフック部を上方外側から係止させたことを特徴とする請求項１記載のユニットルーム戸枠支持構造。
【請求項３】
フック部材のフック部の外側端縁部分に外側上方へと屈曲した係止受片部を一体に形成し、固定具に形成した係止孔部を同係止受片部に嵌挿係止させて、この固定具を同フック部材に結合支持させたことを特徴とする請求項２記載のユニットルーム戸枠支持構造。
【請求項４】
固定具をＬ型金具で形成し、この固定具の一辺部を戸枠の側枠部外面に取着固定し、同固定具の他辺部に係止孔部を形成したことを特徴とする請求項３記載のユニットルーム戸枠支持構造。
【請求項５】
固定具の他辺部とフック部材のフック部との間に周縁フランジ部の縦片を介在させた状態にして、ビス止めにより挟着固定したことを特徴とする請求項４記載のユニットルーム戸枠支持構造。
【発明の詳細な説明】
【技術分野】
【０００１】
本願発明は、浴室ユニット、トイレユニット等のユニットルームの出入り開口部分に施工されるユニットルーム戸枠支持構造に関するものである。
【背景技術】
【０００２】
従来から、浴室ユニット、トイレユニット等のユニットルームは、次のように施工されている。すなわち、床パンの周縁部分に壁パネルが立設され、出入り開口部分においては同周縁部分に壁パネルの間で戸枠が立設され、この戸枠内には開閉自在な引き戸や折り畳み扉等が配設される。そして、壁パネル及び戸枠の上端部分に天井パネルが架設され、家屋の所定スペース内にユニットルームが施工される。この場合、戸枠が自重で下方へずれ動くことを防止するため、ユニットルーム戸枠支持構造が用いられる。
【０００３】
従来のユニットルーム戸枠支持構造は、図６に示す如く、戸枠２を固定具５で支持するものである。この場合、ユニットルームの壁パネル18に粘着テープ19を介して補強木材20を貼着固定し、この補強木材20と戸枠２とを固定具５を介して結合させている。固定具５はＬ型金具であり、その一辺部5aが戸枠２の側枠部2a外面にビス止めされ、その他辺部5bは補強木材20にビス止めされている。ここでは、ユニットルームの壁パネル18が薄肉でその内側面にビスを貫通させてはならないため、同壁パネル18の外側面に補強木材20を貼着固定して、この補強木材20に固定具５の他辺部5bをビス止めしている。
【０００４】
したがって、このユニットルーム戸枠支持構造においては、戸枠２が固定具５を介してユニットルームの壁パネル18に結合支持されるので、同戸枠２が自重で下方へずれ動くことは一応防止される。しかしながら、この場合、補強木材20と壁パネル18との貼着部位で戸枠２の荷重を支えきれなくなり、外れてしまうことがあった。また、ビス止めの際に固定具５を手で押さえておかなければならず、ビス止め作業が難しくて施工性にも問題があった。
【０００５】
ところで、ユニットルームの床パンの周縁部分に戸枠を立設するに際し、戸枠の下枠部を床パンの周縁フランジ部上に直接に載置支持させた構造も知られている（特許文献１：特開平１０−２９９３４６号公報）。しかしながら、この場合には、戸枠の下枠部を載置する部分だけ床パンを大きく形成する必要があり、また、同部分だけ載置に適合した他の部分とは異なる構造に形成する必要もあり、床パンが大きく複雑な構造となって形成し難いものとなる。
【特許文献１】特開平１０−２９９３４６号公報
【発明の開示】
【発明が解決しようとする課題】
【０００６】
本願発明は、上記従来の技術に鑑みて発明されたものであり、その課題は、床パンの周縁フランジ部で荷重支持されて戸枠の下方へのずれ動きが確実に防止され、同周縁フランジ部の構造はそのままでこれに係止させる構造として施工性にも優れたユニットルーム戸枠支持構造を提供することである。
【課題を解決するための手段】
【０００７】
上記課題を解決するため、本願発明のユニットルーム戸枠支持構造は、ユニットルームの床パンの周縁部分に立設される戸枠の支持構造であって、床パンの周縁フランジ部にフック部材を係止し、戸枠を支持固定する固定具を同フック部材に結合支持させてなるものである。
【発明の効果】
【０００８】
本願発明のユニットルーム戸枠支持構造においては、床パンの周縁フランジ部にフック部材を係止する引っ掛け構造としたので、同周縁フランジ部の構造は従来と同様でそのままでよく、この周縁フランジ部にフック部材を係止して簡単に施工することができる。そして、戸枠を支持固定する固定具を前記フック部材に結合支持させているので、戸枠の荷重は同フック部材を介して床パンの周縁フランジ部で強固に支持され、この戸枠の下方へのずれ動きが確実に防止される。
【発明を実施するための最良の形態】
【０００９】
図１〜４は、本願発明の請求項１〜５全てに対応した一実施形態であるユニットルーム戸枠支持構造を示している。この実施形態のユニットルーム戸枠支持構造は、ユニットルームの床パン１の周縁部分に立設される戸枠２の支持構造である。そして、床パン１の周縁フランジ部３にフック部材４を係止し、戸枠２を支持固定する固定具５を同フック部材４に結合支持させた構造としている。
【００１０】
この実施形態のユニットルーム戸枠支持構造では、床パン１の周縁フランジ部３に上方へ折曲突出した縦片3aを一体に形成し、この縦片3aの上端部分にフック部材４の略Ｌ字状に屈曲したフック部4aを上方外側から係止させている。この場合、フック部材４のフック部4aの外側端縁部分に外側上方へと屈曲した係止受片部4bを一体に形成し、固定具５に形成した係止孔部６を同係止受片部4bに嵌挿係止させて、この固定具５を同フック部材４に結合支持させている。また、固定具５をＬ型金具で形成し、この固定具５の一辺部5aを戸枠２の側枠部2a外面に取着固定し、同固定具５の他辺部5bに前記係止孔部６を形成している。そして、固定具５の他辺部5bとフック部材４のフック部4aとの間に周縁フランジ部３の縦片3aを介在させた状態にして、ビス止めにより挟着固定している。
【００１１】
以下、この実施形態のユニットルーム戸枠支持構造をより具体的詳細に説明する。この実施形態におけるユニットルームは浴室ユニットであり、次のように施工される。すなわち、図３に示す如く、床パン１の周縁部分に壁パネル（図示せず）が立設され、出入り開口部分においては同周縁部分に壁パネルの間で戸枠２が立設され、この戸枠２内には開閉自在な引き戸や折り畳み扉等の開閉部材（図示せず）が配設される。そして、壁パネル及び戸枠２の上端部分に天井パネル（図示せず）が架設され、家屋の所定スペース内にユニットルームが施工される。
【００１２】
この場合、図３に示される床パン１は浴室の洗い場を構成するもので、この床パン１に隣接して浴槽を備える床パン（図示せず）が連結設置される。床パン１は合成樹脂で矩形状に一体成形されたもので、その周縁部分に周縁フランジ部３（図１、２参照）が一体に形成されている。そして、床パン１の周縁部分の一辺略全長にわたる部位に戸枠２が立設される。戸枠２はアルミニウム等の金属型材で枠組みされてなり、両側枠部2aと下枠部2bと上枠部2cとで矩形開口枠状に形成されている。
【００１３】
この実施形態における戸枠２は片引き戸用のもので、その矩形開口内の片側略半分に戸袋パネル2dが取着固定されており、残り略半分の開口部分を開閉する引き戸（図示せず）が同戸枠２内に走行自在に取り付けられるものであって、下枠部2bには走行用のレールが形成されている。そして、戸枠２が自重で下方へずれ動くことを防止するために、この実施形態のユニットルーム戸枠支持構造が同戸枠２の両側枠部2aの下端部付近に配設施工されている。
【００１４】
この実施形態のユニットルーム戸枠支持構造における主たる構成部材は、図４に示す如く、相互に結合されるフック部材４及び固定具５である。固定具５は厚手のＬ型金具で形成され、その一辺部5aに複数の固定用孔７が穿設され、その他辺部5bに係止孔部６と複数の挟着用孔８とが穿設されている。固定具５の他辺部5bにおいて係止孔部６は横長のスリット状に形成され、同他辺部5bの上部位に穿設されている。フック部材４は略Ｌ字状のフック部4aと係止受片部4bとが連設され、全体として略Ｚ状に屈曲した板形状に形成されており、その板厚は前記固定具５よりも薄くて前記係止孔部６に適合して挿通し得る断面形状となっている。
【００１５】
床パン１は従来の構造と同様でそのまま使用されるもので、図１、２に示す如く、その周縁部分に上方へ立ち上がり、その上端部分が外方へ折曲した周縁フランジ部３が一体に形成されている。周縁フランジ部３の上端外側縁には上方へ折曲突出した縦片3aが一体に延設形成されており、この縦片3aは水返し機能を発揮するものである。また、浴室の出入り開口部分以外の部位では、周縁フランジ部３の上端部分の上にその縦片3aの内側に当て止めて壁パネルの下端部分が載設支持される。
【００１６】
次に、この実施形態のユニットルーム戸枠支持構造の施工手順を説明する。まず、床パン１の周縁フランジ部３の縦片3a上端部分に、フック部材４のフック部4aを仮止め係止させる。そして、フック部材４の係止受片部4bを固定具５の係止孔部６に挿入係止して、この固定具５を同フック部材４に結合支持させる。ここでは、固定具５の他辺部5bとフック部材４のフック部4aとの間に周縁フランジ部３の縦片ａが介在された仮止め挟持状態となる。なお、フック部材４を固定具５の係止孔部６に挿入係止して、この固定具５に同フック部材４を予め結合支持させておくこともできる。
【００１７】
前記フック部材４及び固定具５を床パン１の周縁フランジ部３に仮止めした状態で、同固定具５の一辺部5aを戸枠２の側枠部2a外面に当接させる。そして、固定具５の一辺部5aを戸枠２の側枠部2a外面にビス止めすると共に、同固定具５の他辺部5bとフック部材４のフック部4aとの間に周縁フランジ部３の縦片ａをビス止めにより挟着固定する。ビス止めに際しては、固定具５の前記固定用孔７及び挟着用孔８からビスがねじ込まれるものであるが、その際、同固定具５は位置決め保持された状態にあり、電動ドライバー等で容易にねじ込み作業を行うことができる。
【００１８】
したがって、この実施形態のユニットルーム戸枠支持構造においては、床パン１の周縁フランジ部３にフック部材４を係止する引っ掛け構造としているので、同周縁フランジ部３の構造は従来と同様でそのままでよく、この周縁フランジ部３にフック部材４を係止して簡単に施工することができ、ビス止め作業も容易で施工性に優れている。そして、戸枠２にビス止め固着される固定具５が前記フック部材４に結合支持されるので、戸枠２の荷重は同フック部材４を介して床パン１の周縁フランジ部３で強固に係止支持され、この戸枠２の下方へのずれ動きが確実に防止される。
【００１９】
また、この実施形態のユニットルーム戸枠支持構造においては、フック部材４の略Ｌ字状に屈曲したフック部4aが、床パン１の周縁フランジ部３の縦片3a上端部分に上方外側から係止されるので、同周縁フランジ部３の縦片3a内側に突出物がなくなり、壁パネルの下端部分を載設支持させる等の作業を支障なく行うことができ、同縦片3aの外側に固定具５を介して戸枠２を結合支持させ易くもなる。この場合、フック部材４の外側上方へと屈曲した係止受片部4bに、固定具５に形成した係止孔部６を嵌挿係止させて、この固定具５を同フック部材４に結合支持させおり、この結合支持が簡単で確実なものとなる。
【００２０】
更に、Ｌ型金具でなる固定具５の一辺部5aを戸枠２の側枠部2a外面に取着固定し、同固定具５の他辺部5bに前記係止孔部６を形成しているので、同Ｌ型金具の一辺部5aを戸枠２の側枠部2aにビス止め等で簡単且つ確実に取着固定することができ、同Ｌ型金具を用いる前記結合支持はより簡単で確実なものとなる。しかも、この場合、固定具５の他辺部5bとフック部材４のフック部4aとの間に周縁フランジ部３の縦片3aを介在させ、この状態でビス止めにより挟着固定するため、同固定具５やフック部材４等は位置決め仮保持された状態にあって、電動ドライバー等による同ビス止め作業は容易で、同固定具５及びフック部材４を介する戸枠２の支持強度がより高められる。
【００２１】
図５は、本願発明の請求項１、２に対応した別の実施形態であるユニットルーム戸枠支持構造を示している。この実施形態のユニットルーム戸枠支持構造にあっても、床パン１の周縁フランジ部３にフック部材４を係止し、戸枠２を支持固定する固定具５を同フック部材４に結合支持させている。また、床パン１の周縁フランジ部３に上方へ折曲突出した縦片3aを一体に形成し、この縦片3aの上端部分にフック部材４の略Ｌ字状に屈曲したフック部4aを上方外側から係止させてもいる。
【００２２】
したがって、この実施形態のユニットルーム戸枠支持構造においても、床パン１の周縁フランジ部３にフック部材４を係止する引っ掛け構造としているので、同周縁フランジ部３の構造は従来と同様でそのままでよく、この周縁フランジ部３にフック部材４を係止させて簡単に施工することができる。そして、戸枠２を支持固定する固定具５が前記フック部材４に結合支持されるので、戸枠２の荷重は同フック部材４を介し床パン１の周縁フランジ部３で強固に係止支持され、この戸枠２の下方へのずれ動きが確実に防止される。また、フック部材４の略Ｌ字状に屈曲したフック部4aが、床パン１の周縁フランジ部３の縦片3a上端部分に上方外側から係止されるので、同周縁フランジ部３の縦片3a内側に突出物がなくなり、壁パネルの下端部分を載設支持させる等の作業を支障なく行え、同縦片3aの外側に固定具５を介して戸枠２を結合支持させ易くもなる。
【００２３】
以下、この実施形態が上記実施形態と異なる部分について説明する。フック部材４のフック部4aの外側端縁部分には、下方へ折曲した垂下片部4cとこの垂下片部4cの下端から外方へ折曲突出した横片部4dとが連続して延設されており、同横片部4dに固定具５が結合支持されている。この場合、固定具５は垂直片部5cと水平片部5dとで略Ｌ型状に形成されており、フック部材４の前記横片部4dにはスライド孔９とネジ孔10とが穿設されている。また、固定具５の前記垂直片部5cの中程上部位には外方へ突出した支持片部11が一体に形成されており、この支持片部11には貫通孔12が穿設されている。
【００２４】
そして、固定具５の垂直片部5cの上端部分がフック部材４の横片部4dのスライド孔９にスライド自在に挿入され、同固定具３の支持片部11の貫通孔12に下方から固定ボルト13が挿通されて、この固定ボルト13の上端部分が同フック部材４の横片部4dのネジ孔10に螺合挿入されている。また、固定ボルト13の中程には、フック部材４の横片部4dと固定具３の支持片部11との間で固定ナット14が螺合保持されている。
【００２５】
したがって、この場合、固定ボルト13を回動操作することで、この固定ボルト13を介して支持される固定具５の高さ調整を行うことができ、この高さ調整作業後に固定ナット14をフック部材４の横片部4dに対して締め付けることによって、同固定具５を適切な高さ位置に固定することができる。これにより、固定具５の水平片部5d上に載設支持される戸枠２の下枠部2bを、調整された所定の高さ位置で下方へずれ動かないよう確実に支持することができる。
【００２６】
また、この場合、戸枠２は片引き戸用で、上記実施形態と同様に形成されている。すなわち、戸枠２の下枠部2bには引き戸（図示せず）を走行自在にガイド支持するレールが形成されており、同下枠部2bには戸袋パネル2dを取着固定するための戸袋下枠15が結合固定されている。そして、固定具５の水平片部5dの外側端付近の上面には係止凸起16が突設されており、この係止凸起16に戸枠２の下枠部2bを係止させている。これにより、戸枠２の荷重で固定具５の水平片部5dが外側下方へと傾斜しても、同戸枠２の下枠部2bは前記係止凸起16に係止してその外側へのずれ動きが防止される。なお、施工完了時にあっては、戸枠２の下枠部2bの外側端縁部17が洗い場の床面等にネジ止め等で取着固定される。
【００２７】
前記の如く、この実施形態のユニットルーム戸枠支持構造においては、施工時に戸枠２の下枠部2b（レール）の高さ調整作業を容易に行うことができ、施工完了後にあっても同高さ調整作業を行うことが可能となっている。なお、それ以外は、上記実施形態と同様に構成されており、上記実施形態におけると同様の作用効果が奏される。
【図面の簡単な説明】
【００２８】
【図１】本願発明の一実施形態であるユニットルーム戸枠支持構造の要部を示す斜視図。
【図２】同ユニットルーム戸枠支持構造の要部を示す異なる方向からみた斜視図。
【図３】同ユニットルーム戸枠支持構造の全体を示す斜視図。
【図４】同ユニットルーム戸枠支持構造のフック部材と固定具との結合状態を示す斜視図。
【図５】本願発明の別の実施形態であるユニットルーム戸枠支持構造の要部を示す断面図。
【図６】従来例であるユニットルーム戸枠支持構造の要部を示す断面図。
【符号の説明】
【００２９】
１  床パン
２  戸枠
2a  側枠部
３  周縁フランジ部
3a  縦片
４  フック部材
4a  フック部
4b  係止受片部
５  固定具
5a  一辺部
5b  他辺部
６  係止孔部
【図１】
2005127101.tif 000003
【図２】
2005127101.tif 000004
【図３】
2005127101.tif 000005
【図４】
2005127101.tif 000006
【図５】
2005127101.tif 000007
【図６】
2005127101.tif 000008